(57)【特許請求の範囲】
【請求項１】
第１部材と、前記第１部材に重なる閉状態と前記第１部材内を開放する開状態とに変位する第２部材とを備える筐体と、
前記第２部材が前記第１部材に重ねられるときに、前記第１部材と前記第２部材との間に跨がって設けられる電線が前記第１部材と前記第２部材との間に挟み込まれることを防止するための防止構造とを備え、
前記防止構造は、前記第１部材内を前記第１部材の一端縁と平行に延びる揺動軸線を中心に、前記揺動軸線を含む前記第１部材側の領域と前記揺動軸線から前記開状態の前記第２部材側に延びる領域との間で揺動可能に設けられる挟み込み防止片を備え、
前記電線が前記挟み込み防止片に対して位置決めされている、画像処理装置。
【請求項２】
前記防止構造は、前記電線を前記第１部材に対して位置決めするための位置決め片を備える、請求項１に記載の画像処理装置。
【請求項３】
前記挟み込み防止片および前記位置決め片は、それぞれ可撓性を有する１枚のシート状部材を２つ折りにして形成される一方片および他方片である、請求項２に記載の画像処理装置。
【請求項４】
前記シート状部材には、前記一方片と前記他方片との境界にミシン目が形成されている、請求項３に記載の画像処理装置。
【請求項５】
前記位置決め片には、第１孔が形成され、
前記挟み込み防止片には、第２孔が形成され、
前記電線は、前記第１部材と前記位置決め片との間から前記第１孔に挿通され、前記位置決め片と前記挟み込み防止片の間を通されて、前記第２孔に挿通され、前記挟み込み防止片と前記第２部材との間に延びている、請求項２〜４のいずれか一項に記載の画像処理装置。
【請求項６】
前記挟み込み防止片に前記揺動軸線に平行な方向に延びる１対の第１切り込みおよび１対の前記第１切り込みを結ぶ第２切り込みが入れられて、前記第１切り込みおよび前記第２切り込みによって周囲から分離される部分が１対の前記第１切り込み間を延びる折り曲げ線で折り曲げられることによって形成され、前記電線を包み込んで保持する電線保持部を備える、請求項２〜５のいずれか一項に記載の画像処理装置。
【請求項７】
前記電線には、第１電線と、前記第１電線に供給される電圧よりも低い電圧が供給される第２電線とが含まれ、
前記電線保持部は、前記第１電線を保持する、請求項６に記載の画像処理装置。
【請求項８】
前記電線は、複数設けられており、
前記電線保持部が形成されることによって生じる開口に前記電線保持部によって保持される前記電線と異なる前記電線を通すことにより、前記電線が前記位置決め片に対して位置決めされる、請求項６または７に記載の画像処理装置。
【請求項９】
前記位置決め片は、前記第１部材に対して位置決めされている、請求項２〜８のいずれか一項に記載の画像処理装置。
【請求項１０】
上ユニットと下ユニットとを有し、前記上ユニットが前記筐体を備える、請求項１〜９のいずれか一項に記載の画像処理装置と、
前記第１部材に設けられ、シートに形成された画像を読み取る画像読取部と、
前記下ユニットに設けられ、前記画像読取部を制御するメイン基板と、
前記第２部材に設けられ、手動によって操作されるスイッチと、
前記第２部材に設けられて、前記メイン基板と通信可能に接続され、前記スイッチから信号が入力されるサブ基板と、
前記第１部材に設けられたセンサと、
前記サブ基板と前記センサとを接続する電線とを含む、画像読取装置。
【請求項１１】
前記画像読取部によって読み取られるべき画像が形成された前記シートが載置されるトレイをさらに含み、
前記センサは、前記トレイに前記シートが載置されたことを検出するシート載置センサである、請求項１０に記載の画像読取装置。
【発明の詳細な説明】
【技術分野】
【０００１】
本発明は、電線の挟み込み防止構造を備える画像処理装置および画像読取装置に関する。
【背景技術】
【０００２】
たとえば、イメージスキャナなどの画像処理装置において、第１部材と第２部材とが重ねられることにより、１つの部材が構成されるものがある。
【０００３】
このような構成において、第１部材と第２部材との間に電線が架設される場合、その電線に対して注意を払いつつ、第２部材を第１部材に組み付けなければならない。すなわち、第２部材が第１部材から離間された状態では、第１部材と第２部材との間で電線がほぼ延び切った状態で架設される。そして、第２部材が第１部材に近づくにつれて、電線が弛むので、第１部材への第２部材の組付けに集中していると、その弛んだ電線が第１部材と第２部材との間に挟み込まれるおそれがある。したがって、弛んだ電線が第１部材と第２部材との間に挟み込まれないように注意しつつ、第２部材を第１部材に重ねる必要がある。
【先行技術文献】
【特許文献】
【０００４】
【特許文献１】特開２００９−２１６８２８号公報
【発明の概要】
【発明が解決しようとする課題】
【０００５】
ところが、電線に注意が取られていると、第１部材への第２部材の組付け作業性が低下する。
【０００６】
本発明の目的は、簡素な構成で、第１部材と前記第２部材との間に跨がる電線が第１部材と第２部材との間に挟み込まれることを防止できる、電線の挟み込み防止構造を備える画像処理装置および画像読取装置を提供することである。
【課題を解決するための手段】
【０００７】
前記の目的を達成するため、本発明に係る画像処理装置は、第１部材と、前記第１部材に重なる閉状態と前記第１部材内を開放する開状態とに変位する第２部材とを備える筐体と、前記第２部材が前記第１部材に重ねられるときに、前記第１部材と前記第２部材との間に跨がって設けられる電線が前記第１部材と前記第２部材との間に挟み込まれることを防止するための防止構造とを備えている。前記防止構造は、前記挟み込み防止構造は、前記第１部材内を前記第１部材の一端縁と平行に延びる揺動軸線を中心に、前記揺動軸線を含む前記第１部材側の領域と前記揺動軸線から前記開状態の前記第２部材側に延びる領域との間で揺動可能に設けられる挟み込み防止片を備えている。そして、前記電線が前記挟み込み防止片に対して位置決めされている。
【０００８】
挟み込み防止片は、第１部材内を第１部材の一端縁と平行に延びる揺動軸線を中心に揺動可能に設けられている。第２部材が第１部材内を開放する開状態では、挟み込み防止片は、揺動軸線から第２部材側に延びる領域に配置される。そして、第２部材が開状態から第１部材に重なる閉状態に変位されると、挟み込み防止片は、揺動軸線を中心に回動し、揺動軸線を含む第１部材側の領域に配置される。
【０００９】
第１部材と第２部材との間に跨がる電線は、挟み込み防止片に対して位置決めされている。そのため、第２部材が第１部材に重ねられるときに、電線の位置が挟み込み防止片に対してずれることなく、電線の一部が挟み込み防止片と第１部材との間に挟み込まれる。よって、挟み込み防止片を設けるという簡素な構成で、電線が第１部材と第２部材との間に挟み込まれることを防止できる。
【００１０】
防止構造は、電線を第１部材に対して位置決めするための位置決め片を備えていることが好ましい。
【００１１】
電線が第１部材に対して位置決めされるので、挟み込み防止片と第１部材との間で電線の位置がずれることを防止できる。その結果、電線が第１部材と第２部材との間に挟み込まれることをさらに防止できる。
【００１２】
挟み込み防止片および位置決め片は、それぞれ可撓性を有する１枚のシート状部材を２つ折りにして形成される一方片および他方片であることが好ましい。
【００１３】
１枚のシート状部材を用いた簡素な構成で、挟み込み防止片および位置決め片を形成することができる。
【００１４】
シート状部材には、一方片と他方片との境界にミシン目が形成されていることが好ましい。
【００１５】
ミシン目が形成されていれば、シート状部材を一方片と他方片との境界で折り曲げやすい。よって、１枚のシート状部材から挟み込み防止片および位置決め片を容易に形成することができる。
【００１６】
位置決め片および挟み込み防止片に、それぞれ第１孔および第２孔が形成されていてもよい。この場合、次のようにして、電線が第１部材と第２部材との間に延びていてもよい。電線は、第１部材と位置決め片との間から第１孔に挿通されて、位置決め片と挟み込み防止片の間に引き出される。そして、電線は、第２孔に挿通されて、挟み込み防止片と第２部材との間に引き出される。
【００１７】
電線は、位置決め片の第１孔に挿通されることにより、位置決め片に対して位置決めされる。また、電線は、挟み込み防止片の第２孔に挿通されることにより、挟み込み防止片に対して位置決めされる。よって、簡素な構成で、電線を位置決め片および挟み込み防止片に対して位置決めすることができる。
【００１８】
位置決め片に、揺動軸線に平行な方向に延びる１対の第１切り込みおよび１対の第１切り込みを結ぶ第２切り込みが入れられていてもよい。そして、第１切り込みおよび第２切り込みによって周囲から分離される部分が１対の第１切り込み間を延びる折り曲げ線で折り曲げられることにより、電線を包み込んで保持する電線保持部が形成されていてもよい。
【００１９】
電線保持部に電線が保持されることにより、電線が第１部材に対して位置決めされる。
【００２０】
電線に第１電線および第１電線に供給される電圧よりも低い電圧が供給される第２電線が含まれる場合、電線保持部に第１電線が保持されることが好ましい。
【００２１】
これにより、第２電線よりも高い電圧が供給される第１電線を位置決め片に対して確実に位置決めすることができる。そして、第１電線が第２電線に近づくことが防止されるので、第２電線が信号線である場合には、第１電線からのノイズが第２電線を流れる信号に悪影響を及ぼすことを防止できる。
【００２２】
また、複数の電線が設けられる場合、電線保持部に電線が保持されるとともに、電線保持部が形成されることによって生じる開口に他の電線が通されるとよい。
【００２３】
これにより、複数の電線を位置決め片に対して位置決めすることができる。
【００２４】
位置決め片は、第１部材に対して位置決めされていることが好ましい。
【００２５】
位置決め片が第１部材に対して位置決めされるという簡素な構成で、電線を第１部材に対して位置決めすることができる。
【００２６】
本発明に係る画像読取装置は、前記画像処理装置と、前記第１部材に設けられ、シートに形成された画像を読み取る画像読取部と、前記第１部材に設けられ、前記画像読取部を制御するメイン基板と、前記第２部材に設けられ、手動によって操作されるスイッチと、前記第２部材に設けられて、前記メイン基板と通信可能に接続され、前記スイッチから信号が入力されるサブ基板と、前記第１部材に設けられたセンサと、前記サブ基板と前記センサとを接続する電線とを含む。
【００２７】
よって、この画像読取装置では、前述の画像処理装置に関して述べた作用効果と同様の作用効果を奏することができる。
【００２８】
画像読取装置は、画像読取部によって読み取られるべき画像が形成された前記シートが載置されるトレイをさらに備えていてもよい。この場合、センサは、トレイにシートが載置されたことを検出するシート載置センサであってもよい。
【００２９】
たとえば、メイン基板が休止しているスリープ状態で、トレイにシートが載置されると、シート載置センサからの信号が電線を通してサブ基板に入力される。この信号の入力に応答して、メイン基板を起動させることにより、スイッチからメイン基板への信号の入力を有効化することができる。
【発明の効果】
【００３０】
本発明によれば、簡素な構成で、第１部材と前記第２部材との間に跨がる電線が第１部材と第２部材との間に挟み込まれることを防止できる。
【図面の簡単な説明】
【００３１】
【図１】図１は、本発明の一実施形態に係るイメージスキャナ１の外観斜視図であり、前記イメージスキャナ１の非使用時の状態を示す。
【図２】図２は、前記イメージスキャナ１の外観斜視図であり、前記イメージスキャナ１の使用時の状態を示す。
【図３】図３は、前記イメージスキャナ１の断面図である。
【図４】図４は、前記イメージスキャナ１の上ユニット５の分解斜視図である。
【図５】図５は、前記イメージスキャナ１の斜視図であり、前記上ユニット５の外側部材が開かれた状態を示す。
【図６】図６は、前記上ユニット５の斜視図であり、前記イメージスキャナ１の外側部材７２が開かれた状態を示す。
【図７】図７は、前記イメージスキャナ１に設けられるシート状部材７３の斜視図である。
【発明を実施するための形態】
【００３２】
以下では、本発明の実施の形態について、添付図面を参照しつつ詳細に説明する。
＜イメージスキャナの外観構成＞
【００３３】
図１に示されるように、画像読取装置の一例としてのイメージスキャナ１は、スキャナ本体２、供給トレイ３および排出トレイ４を備えている。
【００３４】
スキャナ本体２には、上ユニット５および下ユニット６が含まれる。スキャナ本体２の正面には、シート排出口７が上ユニット５および下ユニット６に跨がって形成されている。
【００３５】
なお、イメージスキャナ１を平面上に載置した状態で、そのイメージスキャナ１を正面側から見て、前後、左右および上下を規定する。そして、図１以降の各図では、図面の理解を助けるために、必要に応じて、その規定された方向を矢印で示す。
【００３６】
上ユニット５は、下ユニット６に対して、下ユニット６の前上端縁に沿って左右方向に延びる軸線を中心に揺動可能に結合されている。そして、上ユニット５は、揺動により、前方に下り傾斜した通常姿勢、すなわち図２に示される姿勢と、その通常姿勢から後端部が上方に持ち上がった非図示のメンテナンス姿勢とに変位可能である。上ユニット５がメンテナンス姿勢をなす状態では、上ユニット５と下ユニット６との間が開放され、シートのジャム処理やメンテナンスを行うことができる。
【００３７】
上ユニット５の上面には、図２に示されるように、操作表示部８が設けられている。操作表示部８には、複数のスイッチの一例としての操作ボタン９およびパイロットランプ１０などが配置されている。
【００３８】
下ユニット６は、左端部および右端部に、それぞれ側面視台形状のサイドパネル１１を備えている。この１対のサイドパネル１１により、イメージスキャナ１の左右の側面が形成されている。上ユニット５が通常姿勢をなす状態で、１対のサイドパネル１１により、上ユニット５が左右から挟まれて、上ユニット５の左右の側面が覆われる。また、その状態で、上ユニット５の上面は、各サイドパネル１１の上端縁とほぼ同一の面内に配置される。
【００３９】
トレイの一例としての供給トレイ３は、下ユニット６に対して、下ユニット６の後上端縁に沿って左右方向に延びる軸線を中心に揺動可能に支持されている。供給トレイ３は、揺動により、スキャナ本体２の上面に上方から対向する収納姿勢、すなわち図１に示される姿勢と、スキャナ本体２の後上端部から後上方に延びる使用姿勢、すなわち図２に示される姿勢とに変位可能である。また、供給トレイ３は、スキャナ本体２の平面形状とほぼ同形状の板状に形成されている。そのため、供給トレイ３が収納姿勢をなす状態で、スキャナ本体２の上面は、供給トレイ３によって覆い隠される。
【００４０】
供給トレイ３が使用姿勢をなす状態で、左右方向に延びる略矩形状のシート供給口１２が後上方に開放される。
【００４１】
供給トレイ３が使用姿勢をなす状態で、左右１対のリブ状のシート幅ガイド部材１３が形成される。１対のシート幅ガイド部材１３は、それらの間の中央をセンタ基準として、互いに同じ移動量で近接／離間可能に設けられている。
【００４２】
排出トレイ４は、略矩形板状に形成されている。排出トレイ４は、スキャナ本体２の最下部に収納された状態、すなわち図１に示される状態と、シート排出口７からスキャナ本体２の前方に引き出された状態、すなわち図２に示される状態とに変位可能に設けられている。
＜イメージスキャナの内部構成＞
【００４３】
上ユニット５および下ユニット６は、図３に示されるように、それぞれ上フレーム３１および下フレーム３２を備えている。上フレーム３１の後端縁および下フレーム３２の後端縁により、シート供給口１２が形成されている。
【００４４】
シート供給口１２の奥側には、供給ローラ３３が配置されている。供給ローラ３３は、下フレーム３２により、左右方向に延びる軸線を中心に回転可能に設けられている。供給ローラ３３は、シートの搬送時に、右側から見て反時計回りに回転する。
【００４５】
供給ローラ３３の前上方には、規制部材３４、シート押さえ部材３５および分離片ユニット３６が設けられている。規制部材３４、シート押さえ部材３５および分離片ユニット３６は、上フレーム３１に取り付けられている。
【００４６】
規制部材３４は、供給ローラ３３側に尖った側面視略三角形状に形成されている。
【００４７】
シート押さえ部材３５は、板ばねからなる。シート押さえ部材３５の基端部は、上フレーム３１の後端部に取り付けられ、その遊端部は、供給ローラ３３の周面に前上方から当接している。
【００４８】
分離片ユニット３６は、ゴムからなる分離片３７を備えている。分離片３７は、規制部材３４に対して供給ローラ３３の回転方向の下流側に配置されている。分離片３７の表面は、供給ローラ３３の周面に弾性的に接触している。
【００４９】
供給ローラ３３に対してシートの搬送方向の下流側には、ＬＦローラ３８，３９が左右方向に延びる軸線を中心に回転可能に設けられている。
【００５０】
ＬＦローラ３８，３９に対してシートの搬送方向の下流側には、画像読取部の一例としての上ＣＩＳユニット４１および下ＣＩＳユニット４２が設けられている。上ＣＩＳユニット４１および下ＣＩＳユニット４２は、それぞれ上ユニット５および下ユニット６に保持されている。
【００５１】
上ＣＩＳユニット４１および下ＣＩＳユニット４２の下流側には、排出ローラ４３，４４が左右方向に延びる軸線を中心に回転可能に設けられている。
＜イメージスキャナにおける画像の読取り＞
【００５２】
イメージスキャナ１では、シートの一方面および他方面に形成されている画像を選択的に読み取ることができる。また、イメージスキャナ１では、シートの両面に形成されている画像を並行して読み取ることができる。以下、シートの搬送および画像の読取りについて時系列的に説明する。
【００５３】
１対のシート幅ガイド部材１３の間の間隔が読取対象のシートの幅に合わされる。その後、読取対象のシートの前端部が１対のシート幅ガイド部材１３の間に後上方から差し込まれる。シートの後端部は、供給トレイ３上に載置される。
【００５４】
シートの自重により、シートが前下方に滑り、シートの先端部が供給ローラ３３の周面上に導かれる。そして、最下位置のシートは、その先端部が分離片ユニット３６に接触すると、分離片ユニット３６との摩擦抵抗によって停止する。また、上側のシートは、その先端縁がシート押さえ部材３５に当接することによって停止する。これにより、シートのセットが完了する。
【００５５】
また、シートの進入により、シート押さえ部材３５の遊端部が持ち上げられ、シートの上面にシート押さえ部材３５が当接する。シート押さえ部材３５の付勢力により、最下位置のシートが供給ローラ３３の周面に押しつけられる。
【００５６】
供給ローラ３３が右側から見て反時計回りに回転すると、最下位置のシートと供給ローラ３３の周面との摩擦力により、最下位置のシートが供給ローラ３３の周面とともに移動する。また、最下位置のシートとその直上のシートとの摩擦力により、最下位置のシートにその上方のシートがつられて移動する。そして、それらのシートの先端が分離片３７の表面に当接すると、分離片３７により、上方のシートの移動が規制されて、最下位置のシートのみが分離片３７と供給ローラ３３の周面とのニップ部分を通過する。
【００５７】
シートの先端がＬＦローラ３８，３９のニップ部分に当接すると、ＬＦローラ３８，３９の回転により、シートの先端部がそのニップ部分に引き込まれる。そして、ＬＦローラ３８，３９の回転により、シートが搬送方向の下流側にさらに搬送される。
【００５８】
シートの搬送が進むと、シートの上面および下面がそれぞれ上ＣＩＳユニット４１および下ＣＩＳユニット４２と対向する。そして、上ＣＩＳユニット４１および下ＣＩＳユニット４２からそれぞれシートの上面および下面に光が照射される。シートの上面および下面での反射光がそれぞれ上ＣＩＳユニット４１および下ＣＩＳユニット４２に内蔵されたイメージセンサに受けられることにより、シートの上面および下面に形成されている画像の読取りが達成される。
【００５９】
その後、シートの先端が排出ローラ４３，４４のニップ部分に当接すると、排出ローラ４３，４４の回転により、シートの先端部がそのニップ部分に引き込まれる。そして、排出ローラ４３，４４の回転により、シートが搬送方向の下流側に搬送される。シートの後端が排出ローラ４３，４４から離れると、シートは、排出トレイ４上に排出される。
＜上ユニットの構成＞
【００６０】
筐体の一例としての上ユニット５は、図４に示されるように、第１部材の一例としての内側部材７１、第２部材の一例としての外側部材７２およびシート状部材７３を互いに分離可能に備えている。
＜内側部材の構成＞
【００６１】
内側部材７１は、外形が左右方向に長い矩形状に形成されている。内側部材７１は、上フレーム３１と、上フレーム３１を左右両側から挟む１対のサイドプレート７４とを一体的に備えている。図５に示されるように、内側部材７１の下端部は、下ユニット６に対して下ユニット６の前上端縁に沿って左右方向に延びる軸線を中心に揺動可能に結合される。これにより、上ユニット５は、通常姿勢とメンテナンス姿勢とに変位可能に設けられている。
【００６２】
また、内側部材７１の上端縁には、図６に示されるように、複数の被係止部７７が左右方向に間隔を空けて設けられている。各被係止部７７は、後上方に先細りとなる断面略三角形状に形成されている。
＜外側部材の構成＞
【００６３】
外側部材７２は、内側部材７１に対向する矩形状の対向部７８と、対向部７８の周縁から外側部材に向けて延びる周縁部７９とを一体的に備えている。図２に示される操作表示部８は、対向部７８に設けられている。
【００６４】
周縁部７９の後下端部には、図４に示されるように、複数の係止部８０が左右方向に間隔を空けて設けられている。
【００６５】
周縁部７９の上端部には、内側部材７１の各被係止部７７に対応して、平板状の係止部８１が左右方向に間隔を空けて設けられている。
【００６６】
各係止部８１が被係止部７７に係止され、各係止部８０が内側部材７１の下端縁に係止されることにより、外側部材７２の閉状態が維持される。そして、各係止部８０が内側部材７１の下端縁から外され、各係止部８１が被係止部７７から外されることにより、外側部材７２の閉状態が解除される。
＜シート状部材の構成＞
【００６７】
シート状部材７３は、図７に示されるように、可撓性を有する略矩形状のフィルムシートからなる。シート状部材７３には、その長手方向と直交する方向（短辺に沿う方向）の中央より一方側に少し片寄った位置に、長手方向（長辺に沿う方向）に延びるミシン目９１が形成されている。そして、シート状部材７３は、ミシン目９１で２つ折りにされることにより、ミシン目９１の一方側および他方側に、それぞれ挟み込み防止片９２および位置決め片９３を有している。
【００６８】
挟み込み防止片９２には、一部が不連続な環状の切り込みが入れられている。具体的には、挟み込み防止片９２には、１対の第１切り込み９４，９５と、第２切り込み９６とが入れられている。１対の第１切り込み９４，９５は、長手方向と直交する方向に間隔を空けて、それぞれ長手方向に直線状に延びている。第２切り込み９６は、各第１切り込み９４，９５の一端間を結んでいる。第２切り込み９６は、途中部が凸状に屈曲している。
【００６９】
また、挟み込み防止片９２には、各第１切り込み９４，９５の他端間を結ぶ折り曲げ線９７に対して第２切り込み９６側と反対側に、第２切り込み９６の途中部の凸状に対応して、折り曲げ線９７と平行をなす差込用スリット９８が形成されている。
【００７０】
さらに、挟み込み防止片９２には、３個の電線挿通孔９９Ａ，９９Ｂ，９９Ｃが互いに間隔を空けて形成されている。
【００７１】
位置決め片９３には、３個の電線挿通孔１０１Ａ，１０１Ｂ，１０１Ｃと、４個の突起物挿通孔１０２Ａ，１０２Ｂ，１０２Ｃ，１０２Ｄと、２個の兼用孔１０３Ａ，１０３Ｂとが互いに間隔を空けて形成されている。
【００７２】
位置決め片９３の周縁部１０４は、挟み込み防止片９２側に折り曲げられている。この折り曲げにより、位置決め片９３にこしがつけられている。
＜電線の挟み込み防止構造＞
【００７３】
内側部材７１の外側部材７２と対向する面には、たとえば、供給トレイ３上にシートが載置されたことを検出するためのシート載置センサ１１１と、シートの通過を検出するためのシート通過センサ１１２と、シートの重送を検出するための重送センサ２０１とが設けられている。シート載置センサ１１１およびシート通過センサ１１２には、それぞれ第２電線の一例としての電線１１３，１１４の一端が接続されている。電線１１３，１１４には、たとえば、３Ｖの電圧が供給される。第１電線の一例としての電線１１５は、超音波式の重送センサ２０１に接続されている。電線１１５には、電線１１３，１１４に供給される電圧よりも高い電圧、たとえば、２４Ｖが供給される。
【００７４】
一方、外側部材７２の内側部材７１と対向する面には、サブ基板１２１が設けられている。サブ基板１２１は、操作表示部８の裏側に配置されている。サブ基板１２１には、操作表示部８の操作ボタン９およびパイロットランプ１０（図２参照）が電気的に接続されている。操作ボタン９が操作されると、操作ボタン９からサブ基板１２１にスイッチ信号が入力される。また、サブ基板１２１からパイロットランプ１０に駆動電流が供給される。さらに、サブ基板１２１は、ハーネス１２２を介して、下ユニット６の底部に配置されたメイン基板１２３（図３，５参照）と電気的に接続されている。
【００７５】
図５，６に示されるように、シート状部材７３は、ミシン目９１（折り目）が内側部材７１の下端縁の上方でその下端縁に沿って延びるように、内側部材７１と外側部材７２との間に配置される。位置決め片９３の各突起物挿通孔１０２Ａ，１０２Ｂ，１０２Ｃ，１０２Ｄおよび各兼用孔１０３Ａ，１０３Ｂには、内側部材７１の外側部材７２と対向する面に形成された突起物１２５が挿通される。これにより、位置決め片９３は、内側部材７１に対して位置決めされる。挟み込み防止片９２は、ミシン目９１を揺動軸線として、内側部材７１側の領域内で位置決め片９３に対向する位置と、ミシン目９１から開状態の外側部材７２側に延びる領域との間で揺動することができる。
【００７６】
シート載置センサ１１１から延びる電線１１３は、位置決め片９３の第１孔の一例としての電線挿通孔１０１Ａを通されて、挟み込み防止片９２と位置決め片９３との間に引き出されている。そして、電線１１３は、挟み込み防止片９２の第２孔の一例としての電線挿通孔９９Ａを通されて、外側部材７２側に引き出されている。さらに、電線１１３は、挟み込み防止片９２の別の電線挿通孔９９Ｂを通されて、挟み込み防止片９２と位置決め片９３との間に引き出され、挟み込み防止片９２の端縁を経由して、サブ基板１２１に接続されている。
【００７７】
シート通過センサ１１２から延びる電線１１４は、位置決め片９３の第１孔の一例としての電線挿通孔１０１Ｂを通されて、挟み込み防止片９２と位置決め片９３との間に引き出されている。そして、電線１１４は、位置決め片９３の兼用孔１０３Ａを通されて、内側部材７１側に引き出されている。さらに、電線１１４は、位置決め片９３の電線挿通孔１０１Ｃを通されて、挟み込み防止片９２と位置決め片９３との間に再び引き出されている。第１切り込み９４，９５および第２切り込み９６で囲まれる折り曲げ片１３１は、折り曲げ線９７に沿って位置決め片９３側に折り曲げられている。電線１１４は、折り曲げ片１３１の折り曲げによって形成される開口１３２を通されて、挟み込み防止片９２と外側部材７２との間に引き出され、サブ基板１２１に接続されている。
【００７８】
重送センサに接続された電線１１５は、位置決め片９３の第１孔の一例としての兼用孔１０３Ｂを通されて、挟み込み防止片９２と位置決め片９３との間に引き出されている。そして、電線１１３は、位置決め片９３の突起物挿通孔１０２Ａから突出した突起物１２５に保持されて、挟み込み防止片９２の開口１３２の右側に延びている。開口１３２の右側において、折り曲げ片１３１は、電線１１５を包み込むように湾曲し、第２切り込み９６の途中部の凸状に対応した突片１３３が差込用スリット９８に差し込まれることにより、電線１１５を挟み込み防止片９２との間に保持する電線保持部１３４を形成している。電線１１５は、挟み込み防止片９２の第２孔の一例としての電線挿通孔９９Ｃを通されて、外側部材７２側に引き出され、サブ基板１２１に接続されている。
【００７９】
上ユニット５の組立ての際には、まず、外側部材７２の各係止部８１が内側部材７１の被係止部７７に係止される。次に、内側部材７１と開状態の外側部材７２との間に、シート状部材７３が配置される。また、内側部材７１から延びる電線１１３〜１１５がシート状部材７３の電線挿通孔９９Ａなどに通され、各電線１１３〜１１５がサブ基板１２１に接続される。その後、外側部材７２が内側部材７１に重ね合わされる。そして、外側部材７２の各係止部８０が内側部材７１の下端縁に係止される。これにより、上ユニット５の組立てが完了する。
【００８０】
上ユニット５の組み立て後は、外側部材７２の各係止部８０が内側部材７１の下端縁から外され、外側部材７２の各係止部８１が内側部材７１の被係止部７７から外されることにより、外側部材７２が内側部材７１から分離される。
＜作用効果＞
【００８１】
挟み込み防止片９２は、内側部材７１内を外側部材７２の下端縁と平行に延びるミシン目９１を中心に揺動可能に設けられている。外側部材７２が内側部材７１内を開放する開状態では、挟み込み防止片９２は、ミシン目９１から外側部材７２側に延びる領域に配置される。そして、外側部材７２が開状態から内側部材７１に重なる閉状態に変位されると、挟み込み防止片９２は、ミシン目９１を中心に回動し、ミシン目９１を含む内側部材７１側の領域に配置される。
【００８２】
内側部材７１と外側部材７２との間に跨がる電線１１３は、位置決め片９３の電線挿通孔１０１Ａを通されることにより、位置決め片９３に対して位置決めされている。また、電線１１３は、挟み込み防止片９２の電線挿通孔９９Ａを通されることにより、挟み込み防止片９２に対して位置決めされている。このように、簡素な構成で、電線１１３が位置決め片９３および挟み込み防止片９２に対して位置決めされている。電線１１４，１１５についても同様である。
【００８３】
電線１１３〜１１５が挟み込み防止片９２に対して位置決めされているので、外側部材７２が内側部材７１に重ねられるときに、電線１１３〜１１５の位置が挟み込み防止片９２に対してずれることなく、電線１１３〜１１５の一部が挟み込み防止片９２と内側部材７１との間に挟み込まれる。よって、挟み込み防止片９２を設けるという簡素な構成で、電線が内側部材７１と外側部材７２との間に挟み込まれることを防止できる。
【００８４】
また、電線１１３〜１１５が位置決め片９３に対して位置決めされ、位置決め片９３が内側部材７１に対して位置決めされることにより、電線１１３〜１１５は、内側部材７１に対して位置決めされている。
【００８５】
電線１１３〜１１５が内側部材７１に対して位置決めされているので、挟み込み防止片９２と内側部材７１との間で電線１１３〜１１５の位置がずれることを防止できる。その結果、電線１１３〜１１５が内側部材７１と外側部材７２との間に挟み込まれることをさらに防止できる。
【００８６】
また、電線１１３，１１４よりも高い電圧が供給される電線１１５は、折り曲げ片１３１が電線１１５を包み込むように折り曲げられることによって形成される電線保持部１３４に保持されている。
【００８７】
これにより、電線１１５は、挟み込み防止片９２と位置決め片９３との間で確実に位置決めされる。そして、電線１１５が電線１１３，１１４に近づくことが防止されるので、電線１１５からのノイズが電線１１３，１１４を流れるセンサ信号に悪影響を及ぼすことを防止できる。
【００８８】
挟み込み防止片９２および位置決め片９３は、可撓性を有する１枚のシート状部材７３を２つ折りにして形成されている。
【００８９】
１枚のシート状部材７３を用いた簡素な構成で、挟み込み防止片９２および位置決め片９３を形成することができる。
【００９０】
そして、挟み込み防止片９２と位置決め片９３との境界にミシン目９１が形成されているので、シート状部材７３を容易に折り曲げることができ、１枚のシート状部材７３から挟み込み防止片９２および位置決め片９３を容易に形成することができる。
【００９１】
また、イメージスキャナ１には、シート載置センサ１１１、サブ基板１２１およびメイン基板１２３が備えられている。シート載置センサ１１１は、電線１１３を介して、サブ基板１２１と電気的に接続されている。また、サブ基板１２１は、ハーネス１２２を介して、メイン基板１２３と電気的に接続されている。
【００９２】
たとえば、メイン基板１２３が休止している状態（スリープ状態）で、供給トレイ３にシートが載置されると、シート載置センサ１１１からの信号が電線１１３を通してサブ基板１２１に入力される。この信号の入力に応答して、メイン基板１２３を起動させることにより、操作ボタン９からメイン基板１２３への信号の入力を有効化することができる。
＜変形例＞
【００９３】
以上、本発明の一実施形態について説明したが、本発明は、他の形態で実施することもできる。
【００９４】
前述の実施形態では、画像処理装置および画像読取装置の一例として、イメージスキャナ１を取り上げたが、本発明に係る挟み込み防止構造は、イメージスキャナ１などの画像読取装置以外の機器に適用することが可能である。たとえば、複写機や複合機などの画像処理装置における自動原稿供給装置と画像形成装置本体との間での電線の挟み込みを防止するために、本発明に係る挟み込み防止構造を適用することができる。
【００９５】
その他、前述の構成には、特許請求の範囲に記載された事項の範囲で種々の設計変更を施すことが可能である。
【符号の説明】
【００９６】
１        イメージスキャナ
５        上ユニット
３        供給トレイ
９        操作ボタン
４１      上ＣＩＳユニット
４２      下ＣＩＳユニット
７１      内側部材
７２      外側部材
７３      シート状部材
９１      ミシン目
９２      挟み込み防止片
９３      位置決め片
９４      第１切り込み
９５      第１切り込み
９６      第２切り込み
９７      折り曲げ線
９９Ａ    電線挿通孔
９９Ｃ    電線挿通孔
１０１Ａ  電線挿通孔
１０１Ｂ  電線挿通孔
１０３Ｂ  兼用孔
１１１    シート載置センサ
１１２    シート通過センサ
１１３    電線
１１４    電線
１１５    電線
１２１    サブ基板
１２３    メイン基板
１３４    電線保持部
１３２    開口
【図１】
0005821577.tif 000002
【図２】
0005821577.tif 000003
【図３】
0005821577.tif 000004
【図４】
0005821577.tif 000005
【図５】
0005821577.tif 000006
【図６】
0005821577.tif 000007
【図７】
0005821577.tif 000008